(57)【要約】【課題】  昇降調整作業並びに回動ロック作業の作業性を著しく向上させた束金具を提供すること。【解決手段】  接地ベース１上に立設した支持体２の上部に螺子杆３を回動自在に設け、この螺子杆３の上部に建築用横架材４を受固定する受部５を回動自在に設けて、螺子杆３の回動操作により螺子杆３が支持体２に対し昇降して受部５を昇降調整し得るように構成し、螺子杆３の上部に係合部６を設け、この係合部６の下方の螺子杆３に無螺子部３Ａを設け、この無螺子部３Ａの下方の螺子杆３の螺子部３Ｂに操作ハンドル７Ａを備えたロックナット７を昇降自在に螺着して、このロックナット７を螺動して支持体２の上部に接するまで下降させることで螺子杆３を回動ロックし得るように構成し、このロックナット７の上部に係合部６が回り止め係合する係合凹部７Ｂを設けて、このロックナット７を螺動して無螺子部３Ａまで上昇させ、この無螺子部３Ａを介してロックナット７を上動させることで係合凹部７Ｂを係合部６に係合し得るように構成する。【選択図】      図１
2006200265.tif 000002
【特許請求の範囲】
【請求項１】
接地ベース上に立設した支持体の上部に螺子杆を回動自在に設け、この螺子杆の上部に建築用横架材を受固定する受部を回動自在に設けて、支持体に対する螺子杆の回動操作により螺子杆が支持体に対し昇降して前記受部を昇降調整し得るように構成した束金具であって、前記螺子杆の上部に係合部を設け、この係合部の下方の螺子杆に無螺子部を設け、この無螺子部の下方の螺子杆の螺子部に操作ハンドルを備えたロックナットを昇降自在に螺着して、このロックナットを螺動して前記支持体の上部に接するまで下降させることで螺子杆を回動ロックし得るように構成し、このロックナットの上部に前記係合部が回り止め係合する係合凹部を設けて、このロックナットを螺動して前記無螺子部まで上昇させ、この無螺子部を介してロックナットを上動させることで前記係合凹部を前記係合部に係合し得るように構成し、この係合部に係合したロックナットの前記操作ハンドルを回動操作することにより係合部を介して前記螺子杆を支持体に対して回動操作し得るように構成したことを特徴とする束金具。
【請求項２】
前記無螺子部の前記螺子杆への形成範囲を、少なくともこの無螺子部に位置せしめた前記ロックナットの上下動を許容して、このロックナットの上動により前記係合凹部を前記係合部に係合可能となる形成範囲に設定したことを特徴とする請求項１記載の束金具。
【請求項３】
前記ロックナットの上部に、前記係合部が回り止め係合する前記係合凹部を設け、このロックナットの下部に、前記支持体の上部に突き当たり当接する突き当り部を設け、このロックナットの側部に前記操作ハンドルを突設したことを特徴とする請求項１，２のいずれか１項に記載の束金具。
【請求項４】
前記支持体の上部にナット部を設けてこのナット部に前記螺子杆を螺着し、この螺子杆の上部に角形ナットを螺着固定してこの角形ナットを前記係合部とし、この係合部の下方の螺子杆に前記無螺子部を設け、この無螺子部にロックナットを配設するか若しくはこの無螺子部の下方の螺子杆の螺子部にロックナットを螺着し、このロックナットの上部に前記角形ナットで構成された前記係合部を回り止め係合する角形の前記係合凹部を形成し、この係合部より上方の螺子杆の上部に前記受部を回動自在に連結したことを特徴とする請求項１〜３のいずれか１項に記載の束金具。
【発明の詳細な説明】
【技術分野】
【０００１】
本発明は、建築物の床構造において、大引きなどの建築用横架材を基礎などより所定高さに支える束金具に関するものである。
【背景技術】
【０００２】
一般に、建築物の基礎と大引きとの間には、大引きを水平に支持するための束金具が設置されている。
【０００３】
従来、この種の束金具としては、例えばターンバックル式のものがある。
【０００４】
具体的には、例えば、断面六角形状に成形された工具掛部を有するターンバックル部の両端部に螺子杆を回動自在に螺着し、この各螺子杆の先端部に夫々大引きを受けるための受プレートと基礎などの接地面に接地するためのベースプレートとを設け、また、ターンバックル部の両端部に螺着される各螺子杆に、夫々ロックナットを螺着した構成である。
【０００５】
このターンバックル式の束金具の使用方法は、前記受プレートを大引きに固定すると共に前記ベースプレートを接地面に接地固定し、前記ターンバックル部の工具掛部をスパナなどの工具で回動調整することで、両端部の受プレートとベースプレートとを螺動昇降調整して大引きを水平状態に保持するものである。
【０００６】
また、大引きなどの木材の経年変形により基礎と大引きとの間隔が広くなった場合も、スパナなどでターンバックル部を回動操作することにより束金具長を適正に調整し直すことができる。
【０００７】
ターンバックル部の回動操作により大引きを適正な水平状態に保持した後は、前記各ロックナットをスパナなどで回動操作してターンバックル部の両端部に当接させることで、各螺子杆の回動不能状態に維持して大引きの水平保持状態を確固にロック保持できる。
【発明の開示】
【発明が解決しようとする課題】
【０００８】
上記のような従来の束金具においては、ターンバックル部の回動操作やロックナットの回動操作は、作業者が狭い場所に工具を持ち込んで窮屈な姿勢で工具の操作を行わなければならないため、容易な作業ではなかった。
【０００９】
本発明は、このような問題点に注目し、昇降調整作業並びに回動ロック作業の作業性を著しく向上させた束金具を提供することが技術的課題である。
【課題を解決するための手段】
【００１０】
添付図面を参照して本発明の要旨を説明する。
【００１１】
接地ベース１上に立設した支持体２の上部に螺子杆３を回動自在に設け、この螺子杆３の上部に建築用横架材４を受固定する受部５を回動自在に設けて、支持体２に対する螺子杆３の回動操作により螺子杆３が支持体２に対し昇降して前記受部５を昇降調整し得るように構成した束金具であって、前記螺子杆３の上部に係合部６を設け、この係合部６の下方の螺子杆３に無螺子部３Ａを設け、この無螺子部３Ａの下方の螺子杆３の螺子部３Ｂに操作ハンドル７Ａを備えたロックナット７を昇降自在に螺着して、このロックナット７を螺動して前記支持体２の上部に接するまで下降させることで螺子杆３を回動ロックし得るように構成し、このロックナット７の上部に前記係合部６が回り止め係合する係合凹部７Ｂを設けて、このロックナット７を螺動して前記無螺子部３Ａまで上昇させ、この無螺子部３Ａを介してロックナット７を上動させることで前記係合凹部７Ｂを前記係合部６に係合し得るように構成し、この係合部６に係合したロックナット７の前記操作ハンドル７Ａを回動操作することにより係合部６を介して前記螺子杆３を支持体２に対して回動操作し得るように構成したことを特徴とする束金具に係るものである。
【００１２】
また、前記無螺子部３Ａの前記螺子杆３への形成範囲を、少なくともこの無螺子部３Ａに位置せしめた前記ロックナット７の上下動を許容して、このロックナット７の上動により前記係合凹部７Ｂを前記係合部６に係合可能となる形成範囲に設定したことを特徴とする請求項１記載の束金具に係るものである。
【００１３】
また、前記ロックナット７の上部に、前記係合部６が回り止め係合する前記係合凹部７Ｂを設け、このロックナット７の下部に、前記支持体２の上部に突き当たり当接する突き当り部７Ｃを設け、このロックナット７の側部に前記操作ハンドル７Ａを突設したことを特徴とする請求項１，２のいずれか１項に記載の束金具に係るものである。
【００１４】
また、前記支持体２の上部にナット部２Ａを設けてこのナット部２Ａに前記螺子杆３を螺着し、この螺子杆３の上部に角形ナット６を螺着固定してこの角形ナット６を前記係合部６とし、この係合部６の下方の螺子杆３に前記無螺子部３Ａを設け、この無螺子部３Ａにロックナット７を配設するか若しくはこの無螺子部３Ａの下方の螺子杆３の螺子部３Ｂにロックナット７を螺着し、このロックナット７の上部に前記角形ナット６で構成された前記係合部６を回り止め係合する角形の前記係合凹部７Ｂを形成し、この係合部６より上方の螺子杆３の上部に前記受部５を回動自在に連結したことを特徴とする請求項１〜３のいずれか１項に記載の束金具に係るものである。
【発明の効果】
【００１５】
本発明は上述のように構成したから、受部の昇降調整に際して、作業者が別途スパナなどの回動工具を用いずにロックナットに設けられた操作ハンドルを手で回動操作することによって簡単に調整を行うことができ、この昇降調整後の回動ロック作業に際しても、工具を用いずに操作ハンドルを手で回動操作することによって簡単に回動ロックできるので、このいずれの回動作業も非常に楽に行うことができ、従来の束金具に比して著しく作業性が向上する極めて実用性に秀れた画期的な束金具となる。
【００１６】
また、請求項２記載の発明においては、無螺子部に位置させたロックナットを確実に上動して係合凹部を係合部に係合し得ると共に、この回り止め係合状態のロックナットを確実に下動して（係合凹部を係合部から係脱して）無螺子部に位置させることができるので、前記効果を確実に発揮し得る一層実用性に秀れた構成の束金具となる。
【００１７】
また、請求項３記載の発明においては、前記効果を確実に発揮する操作ハンドル付のロックナットを簡易構成にして容易に設計実現可能となる一層実用性に秀れた構成の束金具となる。
【００１８】
また、請求項４記載の発明においては、前記効果を確実に発揮する本発明の束金具を簡易に設計実現可能となる一層実用性に秀れた構成となる。
【発明を実施するための最良の形態】
【００１９】
好適と考える本発明の実施形態（発明をどのように実施するか）を、図面に基づいて本発明の作用を示して簡単に説明する。
【００２０】
本束金具の操作ハンドル７Ａは、工具を用いることなく作業者が簡単に手で回動操作することができる。
【００２１】
例えば、建築用横架材４に受部５を固定して本束金具を建築用横架材４と基礎12などの接地面12との間に配設する。
【００２２】
係合部６に係合凹部７Ｂを係合させて操作ハンドル７Ａを手で回動操作すると、ロックナット７と共に回動する係合部６を介して螺子杆３が支持体２に対し螺動昇降し、これにより前記受部５を昇降調整できるので、接地ベース１が接地面12に接地していない場合には、この操作ハンドル７Ａの回動操作により接地ベース１を接地面12に当接させて固定することができると共に、この操作ハンドル７Ａの回動操作により受部５を昇降微調整して建築用横架材４を水平に保持することができる。
【００２３】
この受部５の昇降調整後（建築用横架材４の水平度調整後）は、例えば、操作ハンドル７Ａを持ち、そのままロックナット７を無螺子部３Ａへと下動することで係合凹部７Ｂを係合部６から係脱させることができ、更にこのロックナット７を下動して無螺子部３Ａの下方の螺子杆３の螺子部３Ｂに螺着することができる。
【００２４】
そして、この螺子杆３の螺子部３Ｂに螺着した状態でロックナット７の操作ハンドル７Ａを手で回動操作してこのロックナット７の下部が前記支持体２の上部に接するまで螺動下降させると、螺子杆３が支持体２に対し回動不能状態となり（螺子杆３を回動ロックでき）、受部５が昇降移動不能状態となって建築用横架材４を水平状態に保持できる。
【００２５】
また、建築物完成後に、建築用横架材４や他の木材の経年変形により接地面12と建築用横架材４との間隔が広くなった場合には、前記回動ロック状態としたロックナット７を、操作ハンドル７Ａを手で回動操作することで螺子杆３に対し上昇させて無螺子部３Ａに位置させると、この無螺子部３Ａではロックナット７が位置決めされないためにこのロックナット７を上下方向に移動可能となる。そして、この無螺子部３Ａを介してロックナット７（操作ハンドル７Ａ）を上動すると、このロックナット７の上部の係合凹部７Ｂを係合部６に回り止め状態に係合することができるので、操作ハンドル７Ａの回動操作により受部５が建築用横架材４を適正な水平状態に保持できるように調整し直すことができる。
【００２６】
そして、この調整作業終了後は、上記同様のロックナット７操作により再び回動ロック状態とする。
【００２７】
従って、本発明によれば、受部５の昇降調整を、別途スパナなどの回動工具を用いることなく、ロックナット７に設けられた操作ハンドル７Ａを手で回動操作することによって簡単に行うことができ、この昇降調整後のロックナット７操作も操作ハンドル７Ａを手で回動操作することによって簡単に行うことができるので、工具を掛け直したりする手間もなく、従来品に比して極めて作業性に秀れ、実用性に秀れた画期的な束金具となる。
【００２８】
尚、操作ハンドル７Ａをハンマーなどで打撃したりすることでも、容易にロックナット７の回動操作を行うことができ、作業状況，現場状況に応じて作業者が楽な姿勢で作業を行える操作方法を選択すると良い。
【実施例】
【００２９】
本発明の具体的な実施例について図面に基づいて説明する。
【００３０】
本実施例の束金具は、接地ベース１上に立設した支持体２の上部に螺子杆３を回動自在に設け、この螺子杆３の上部に建築用横架材４を受固定する受部５を回動自在に設けて、支持体２に対する螺子杆３の回動操作により螺子杆３が支持体２に対し昇降して前記受部５を昇降調整し得るように構成している。
【００３１】
具体的には、図１，図２に示すように、接地ベース１は方形板状をなし、この接地ベース１の中心部に細筒状の支持体２を立設している。
【００３２】
また、この接地ベース１には止着孔９を複数形成している。この接地ベース１は、接着剤で基礎12などの接地面12に止着固定するが、場合によってはこの止着孔９を介して釘や螺子などの止着具を接地面12に止着することにより、この接地ベース１を接地面12に強固に固定し得るように構成している。
【００３３】
また、この支持体２は、図３〜図５に示すように、上部にナット部２Ａを付設してこのナット部２Ａに前記螺子杆３を回動昇降自在に螺着している。
【００３４】
また、このナット部２Ａは、例えば、支持体２の上端部に対して、圧入したり、接着したり、スポット溶接したりするなどの各種結合手段を用いて付設固定する。
【００３５】
受部５は、方形板状をなす受プレート５Ａの下面中心部に、螺子杆３の上部に被嵌する取付筒部５Ｂを垂設状態に設けた構成としている。
【００３６】
また、この受プレート５Ａには止着孔９を複数形成し、この止着孔９を介して釘や螺子などの止着具を例えば大引き４などの建築用横架材４に止着することによりこの受プレート５Ａを建築用横架材４に強固に固定し得るように構成している。
【００３７】
この受部５の螺子杆３上部への連結構造は、図４に示すように、取付筒部５Ｂの垂下端部に、螺子杆３に対して回動自在に被嵌する軸受筒13を付設し、この軸受筒13を介して螺子杆３の上部に取付筒部５Ｂを回動自在に被嵌装着した上、軸受筒13より上方へ突出させた螺子杆３上部に抜け止めピン10を水平方向に貫通止着し、この抜け止めピン10により取付筒部５Ｂに対し螺子杆３が下方へ抜け止め状態となる連結構造としている。
【００３８】
また、この軸受筒13は、例えば、取付筒部５Ｂの垂下端部に対して、圧入したり、接着したり、スポット溶接したりするなどの各種結合手段を用いて付設固定する。
【００３９】
本実施例では、前記螺子杆３の上部に係合部６を設け、この係合部６の下方の螺子杆３に無螺子部３Ａを設け、この無螺子部３Ａの下方の螺子杆３の螺子部３Ｂに操作ハンドル７Ａを備えたロックナット７を昇降自在に螺着して、このロックナット７を螺動して前記支持体２の上部に接するまで下降させることで螺子杆３を回動ロックし得るように構成している。
【００４０】
具体的には、螺子杆３の上部の途中部に六角形ナット６を螺着し、この六角形ナット６をピン８止固定してこの六角形ナット６を前記係合部６としている。
【００４１】
また、本実施例では、この係合部６の上部に座金11を配設し、この座金11の上面に前記取付筒部５Ｂの下縁（軸受筒13の下縁）を当接して、この座金11（係合部６）により螺子杆３に対し受部５を落ち止めした構成としている。
【００４２】
また、螺子杆３の前記係合部６の下方部所定範囲には螺子を形成せず、且つこの部分を螺子部３Ｂよりもやや径小な丸杆に形成して、この螺子のない径小丸杆部分を前記無螺子部３Ａとしている。
【００４３】
ロックナット７は、螺子杆３の螺子部３Ｂに螺着し得る螺子孔を有するものを採用し、このロックナット７を前記無螺子部３Ａに位置させた際には、ロックナット７（の螺子孔）が無螺子部３Ａに対し遊嵌状態となる構成としている。
【００４４】
また、このロックナット７は、図１に示すように外形を円形とし、側部の対向位置（二箇所）に帯板状の前記操作ハンドル７Ａを略水平に突設して、この対向位置に水平突出する二本の操作ハンドル７Ａを手で操作することによりロックナット７の回動操作を容易に行えるようにしている。
【００４５】
また、このロックナット７の下部を平坦形状に形成してこの下部平坦面を前記支持体２の上部（ナット部２Ａの上縁）に突き当たり当接する突き当り部７Ｃとしている。
【００４６】
また、本実施例では、このロックナット７の上部に前記係合部６が回り止め係合する係合凹部７Ｂを凹設して、このロックナット７を前記無螺子部３Ａを介して上動させることで前記係合凹部７Ｂを前記係合部６に係合し得るように構成し、この係合部６に係合したロックナット７の前記操作ハンドル７Ａを回動操作することにより係合部６を介して前記螺子杆３を支持体２に対して回動操作し得るように構成している。
【００４７】
また、この無螺子部３Ａの前記螺子杆３への形成範囲を、この無螺子部３Ａに位置することで遊嵌状態となった前記ロックナット７の上下動を許容して、このロックナット７の上動により前記係合凹部７Ｂを前記係合部６に係合可能となり、且つこの無螺子部３Ａにロックナット７を位置させた際、このロックナット７を前記係合部６に接触することなしに水平回動して係合部６と係合凹部７Ｂとの位置合わせを行える形成範囲（上下幅）に設定構成している。
【００４８】
即ち、無螺子部３Ａは、ロックナット７の上下幅よりもやや幅広な上下幅を確保した構成としている。
【００４９】
また、ロックナット７の上面中心部に、前記六角形ナット６（係合部６）を回り止め係合する六角形の凹部を形成して、この角形凹部を前記係合凹部７Ｂとしている。
【００５０】
次に、本実施例の使用方法を説明する。尚、本実施例では、建築用横架材４として床材を支える大引き４を採用し、この大引き４と接地面12としての基礎12との間に本束金具を配して大引き４を水平に支持する場合を示している。
【００５１】
大引き４の下面に、受部５を釘や螺子により固定して本束金具を大引き４と基礎12との間に配設する。
【００５２】
係合部６に係合凹部７Ｂを係合させた状態で作業者がロックナット７の操作ハンドル７Ａを手で回動操作することにより、係合部６を介して螺子杆３が支持体２に対し螺動昇降し、前記受部５（接地ベース１）を昇降調整できることになる。尚、予め係合部６に係合凹部７Ｂを係合させた状態で本束金具を出荷する構成とすれば、使いはじめのこの作業が容易に行われる。
【００５３】
この操作ハンドル７Ａの回動操作により接地ベース１を基礎12に接地してこの接地ベース１を基礎12に接着固定し、更に操作ハンドル７Ａを回動微調整して大引き４を水平に保持する。
【００５４】
次いで、操作ハンドル７Ａを掴んでロックナット７を下動して係合凹部７Ｂを係合部６から係脱し、更にこのロックナット７を下動して無螺子部３Ａの下方の螺子杆３の螺子部３Ｂに螺着する。
【００５５】
そして、この螺子杆３に螺着した状態でロックナット７の操作ハンドル７Ａを手で回動操作することによりロックナット７を螺動下降させて、このロックナット７下部の突き当り部７Ｃが前記支持体２の上部に接するまで締付けると、螺子杆３が支持体２に対し回動不能状態となり（螺子杆３を回動ロックでき）、受部５を昇降移動不能状態として大引き４を水平状態に保持できる。
【００５６】
尚、操作ハンドル７Ａの回動操作は、作業者がハンマーなどで打撃したりして回動操作しても良く、作業状況や現場の状況に応じて作業者が作業し易い方法を選択すると良い。
【００５７】
また、建築物完成後に、大引き４や他の木材の経年変形により土台と大引き４との間隔が広くなった場合には、前記回動ロック状態のロックナット７を、操作ハンドル７Ａを回動操作することで螺子杆３に対し上昇させて無螺子部３Ａに位置させる。すると、この無螺子部３Ａではロックナット７が位置決めされないために上下に移動可能且つ水平回動可能となり、このロックナット７を水平回動して係合部６と係合凹部７Ｂとを位置合わせした後、このロックナット７を無螺子部３Ａを介して上動することにより、ロックナット７上部の係合凹部７Ｂを係合部６に回り止め状態に係合することができ（図４中の矢印参照。）、次いで、操作ハンドル７Ａを回動操作することにより大引き４を適正な水平状態となるように調整し直すことができる。
【００５８】
そして、この調整作業終了後、再び操作ハンドル７Ａを無螺子部３Ａの下方の螺子杆３の螺子部３Ｂに螺着させて下降させ、突き当り部７Ｃを支持体２の上部に接するまで締付けて回動ロック状態とする。
【００５９】
尚、本発明は、本実施例に限られるものではなく、各構成要件の具体的構成は適宜設計し得るものである。
【図面の簡単な説明】
【００６０】
【図１】本実施例を示す斜視図である。
【図２】本実施例を示す正面図である。
【図３】本実施例の使用状態における回動ロック状態を示す正断面図である。
【図４】本実施例の使用状態における無螺子部に位置させたロックナットを上動して係合凹部を係合部に係合した状態を示す部分拡大説明図である。
【図５】本実施例の使用状態における受部を昇降調整可能な状態を示す正断面図である。
【符号の説明】
【００６１】
１  接地ベース
２  支持体
２Ａ  ナット部
３  螺子杆
３Ａ  無螺子部
３Ｂ  螺子部
４  建築用横架材
５  受部
６  係合部（角形ナット）
７  ロックナット
７Ａ  操作ハンドル
７Ｂ  係合凹部
７Ｃ  突き当り部
【図１】
2006200265.tif 000003
【図２】
2006200265.tif 000004
【図３】
2006200265.tif 000005
【図４】
2006200265.tif 000006
【図５】
2006200265.tif 000007